(57)【要約】 【課題】容器全体の見栄えを損なうことなく、蓋体が開放状態となる際の衝撃を抑制する。【解決手段】家庭用薄葉紙収納容器は、上面に取出口を有し、内側に家庭用薄葉紙を収納するケース体と、取出口を開閉するようにケース体に取り付けられた蓋体と、蓋体を開放状態となる方向に付勢する付勢部材と、付勢部材の付勢力によって蓋体が開放状態となる際の衝撃を吸収するダンパーとを備えている。ダンパーは、蓋体が閉塞状態である際には、外部から視認不能となる位置に配置されている。【選択図】図３
2013227074.tif 000002
【特許請求の範囲】
【請求項１】
上面に取出口を有し、内側に家庭用薄葉紙を収納するケース体と、
前記取出口を開閉するように前記ケース体に取り付けられた蓋体と、
前記蓋体を開放状態となる方向に付勢する付勢部材と、
前記付勢部材の付勢力によって前記蓋体が開放状態となる際の衝撃を吸収するダンパーとを備え、
前記ダンパーは、前記蓋体が閉塞状態である際には、外部から視認不能となる位置に配置されていることを特徴とする家庭用薄葉紙収納容器。
【請求項２】
前記ケース体に対してスライド移動することで前記取出口を開閉させる前記蓋体に対して、前記付勢部材の付勢力を作用させることで当該蓋体を開放状態となる方向にスライド移動させるスライド機構をさらに備え、
前記ダンパーは、前記蓋体の状態に関わらず、外部から視認不能となる位置に配置されていることを特徴とする請求項１に記載の家庭用薄葉紙収納容器。
【請求項３】
前記取出口の周縁と前記蓋体との隙間を封止する気密手段をさらに備え、
前記ダンパーは、前記気密手段に形成されていることを特徴とする請求項２記載の家庭用薄葉紙収納容器。
【請求項４】
前記気密手段は、前記蓋体に取り付けられる蓋側パッキンを含み、
前記ダンパーは、前記蓋側パッキンのうち前記開放状態となる方向側の端部に形成された突起であり、
前記突起は、孔を有し、当該孔の開口面積が縮小するように弾性変形可能であることを特徴とする請求項３記載の家庭用薄葉紙収納容器。
【請求項５】
前記ケース体に対して上下方向に回動することで前記取出口を開閉させる前記蓋体に対して、前記付勢部材の付勢力を作用させることで当該蓋体を開放状態となる方向に回動させる回動機構をさらに備えることを特徴とする請求項１に記載の家庭用薄葉紙収納容器。
【請求項６】
前記回動機構は、前記蓋体に対して開放状態となる方向に付勢力を作用させる弾性体からなる前記付勢部材を、当該蓋体の回動軸に適用した構成であることを特徴とする請求項５記載の家庭用薄葉紙収納容器。
【発明の詳細な説明】
【技術分野】
【０００１】
本発明は、家庭用薄葉紙を収納する家庭用薄葉紙収納容器に関する。
【背景技術】
【０００２】
従来、家屋の床やトイレ、或いは人体などを拭くための家庭用薄葉紙を収納する家庭用薄葉紙収納容器が知られている。例えば、家庭用薄葉紙を収納するためのケース体の上面に、その開放端を上下方向に回動させることで開閉を行う蓋体を設けた家庭用薄葉紙収納容器が知られている（例えば、特許文献１参照）。この家庭用薄葉紙収納容器においては、開放状態となる方向へ蓋体に付勢力を作用させることで、自動で蓋体を開放状態とするようになっている。さらに、開放状態となる際の振動を和らげるように、蓋体の回動軸側の端部にはダンパーとなる開口部（特許文献１では開口部３１）が形成されている。
【先行技術文献】
【特許文献】
【０００３】
【特許文献１】特開２０１０−１１６１９８号公報
【発明の概要】
【発明が解決しようとする課題】
【０００４】
しかしながら、蓋体の端部に開口部が形成されていると、どうしても家庭用薄葉紙収納容器全体の見栄えが損なわれてしまうことになっていた。
さらに、近年においては、回動式の蓋体以外にもスライド式の蓋体を備えた家庭用薄葉紙収納容器の開発も進んでいる。このスライド式においても、自動で蓋体を開放状態とする機能が搭載されることも考えられるが、その場合においても容器全体の見栄えが損なわれることを抑制しつつ、開放状態となる際の振動を和らげることが望まれる。
このため、本発明の課題は、容器全体の見栄えを損なうことなく、蓋体が開放状態となる際の衝撃を抑制することである。
【課題を解決するための手段】
【０００５】
請求項１記載の発明に係る家庭用薄葉紙収納容器は、
上面に取出口を有し、内側に家庭用薄葉紙を収納するケース体と、
前記取出口を開閉するように前記ケース体に取り付けられた蓋体と、
前記蓋体を開放状態となる方向に付勢する付勢部材と、
前記付勢部材の付勢力によって前記蓋体が開放状態となる際の衝撃を吸収するダンパーとを備え、
前記ダンパーは、前記蓋体が閉塞状態である際には、外部から視認不能となる位置に配置されていることを特徴としている。
【０００６】
請求項２記載の発明は、請求項１記載の家庭用薄葉紙収納容器において、
前記ケース体に対してスライド移動することで前記取出口を開閉させる前記蓋体に対して、前記付勢部材の付勢力を作用させることで当該蓋体を開放状態となる方向にスライド移動させるスライド機構をさらに備え、
前記ダンパーは、前記蓋体の状態に関わらず、外部から視認不能となる位置に配置されていることを特徴としている。
【０００７】
請求項３記載の発明は、請求項２記載の家庭用薄葉紙収納容器において、
前記取出口の周縁と前記蓋体との隙間を封止する気密手段をさらに備え、
前記ダンパーは、前記気密手段に形成されていることを特徴としている。
【０００８】
請求項４記載の発明は、請求項３記載の家庭用薄葉紙収納容器において、
前記気密手段は、前記蓋体に取り付けられる蓋側パッキンを含み、
前記ダンパーは、前記蓋側パッキンのうち前記開放状態となる方向側の端部に形成された突起であり、
前記突起は、孔を有し、当該孔の開口面積が縮小するように弾性変形可能であることを特徴としている。
【０００９】
請求項５記載の発明は、請求項１記載の家庭用薄葉紙収納容器において、
前記ケース体に対して上下方向に回動することで前記取出口を開閉させる前記蓋体に対して、前記付勢部材の付勢力を作用させることで当該蓋体を開放状態となる方向に回動させる回動機構をさらに備えることを特徴としている。
【００１０】
請求項６記載の発明は、請求項５記載の家庭用薄葉紙収納容器において、
前記回動機構は、前記蓋体に対して開放状態となる方向に付勢力を作用させる弾性体からなる前記付勢部材を、当該蓋体の回動軸に適用した構成であることを特徴としている。
【発明の効果】
【００１１】
請求項１記載の発明によれば、蓋体が閉塞状態である際には、外部から視認不能となる位置にダンパーが配置されているので、蓋体の閉塞時にダンパーが家庭用薄葉紙収納容器の見栄えを損なうことを防止することができる。したがって、容器全体の見栄えを損なうことなく、蓋体が開放状態となる際の衝撃を抑制することができる。
【００１２】
請求項２記載の発明によれば、ケース体に対してスライド移動することで取出口を開閉させる蓋体に対して、付勢部材の付勢力を作用させることで当該蓋体を開放状態となる方向にスライド移動させるスライド機構を備え、蓋体の状態に関わらず、外部から視認不能となる位置にダンパーが配置されているので、スライド式の蓋体であっても容器全体の見栄えを損なうことなく、蓋体が開放状態となる際の衝撃を抑制することができる。
【００１３】
請求項３記載の発明によれば、取出口の周縁と蓋体との隙間を封止する気密手段にダンパーが形成されているので、閉塞状態時には蓋体と取出口の気密性を確保しつつ、蓋体が開放状態となる際の衝撃を抑制することができる。
【００１４】
請求項４記載の発明によれば、ダンパーは、蓋体に取り付けられる蓋側パッキンのうち開放状態となる方向側の端部に形成された突起であり、この突起は、孔を有し、当該孔の開口面積が縮小するように弾性変形可能であるので、蓋体が開放状態となる際の衝撃を効率よく抑制することができる。
【００１５】
請求項５記載の発明によれば、ケース体に対して上下方向に回動することで取出口を開閉させる蓋体に対して、付勢部材の付勢力を作用させることで当該蓋体を開放状態となる方向に回動させる回動機構を備えているので、回動式の蓋体であっても容器全体の見栄えを損なうことなく、蓋体が開放状態となる際の衝撃を抑制することができる。
【００１６】
請求項６記載の発明によれば、回動機構が、弾性体からなる付勢部材を蓋体の回動軸に適用した構成であるので、簡素な構成で蓋体を自動で開放状態とすることができる。
【図面の簡単な説明】
【００１７】
【図１】本発明の実施形態に係る家庭用薄葉紙収納容器において、（ａ）は上蓋を閉めた状態を示す斜視図、（ｂ）は上蓋を開けた状態を示す斜視図である。
【図２】本発明の実施形態に係る家庭用薄葉紙収納容器において、上蓋を閉めた状態を示す平面図である。
【図３】本発明の実施形態に係る家庭用薄葉紙収納容器において、上蓋を開けた状態を示す平面図である。
【図４】図２の家庭用薄葉紙収納容器のIV−IV線における断面図である。
【図５】図３の家庭用薄葉紙収納容器のV−V線における断面図である。
【図６】容器本体を示す平面図である。
【図７】シャーシ及び付勢部材を示す平面図である。
【図８】上蓋を示す平面図である。
【図９】上記実施形態の家庭用薄葉紙収納容器の変形例を示す模式図である。
【図１０】上記実施形態の家庭用薄葉紙収納容器の変形例を示す模式図である。
【図１１】上記実施形態の家庭用薄葉紙収納容器の変形例を示す模式図である。
【図１２】上記実施形態の家庭用薄葉紙収納容器の変形例を示す斜視図である。
【図１３】図１２の家庭用薄葉紙収納容器の上蓋を閉めた状態を示す部分断面図である。
【図１４】図１２の家庭用薄葉紙収納容器に用いられる回動機構を示す正面図である。
【図１５】図１２の家庭用薄葉紙収納容器の上蓋を開けた状態を示す部分断面図である。
【図１６】図１５の上蓋の開けた状態の変形例を示す部分断面図である。
【発明を実施するための形態】
【００１８】
以下、本発明の実施の形態を図面に基づいて説明する。ただし、発明の範囲は、図示例に限定されない。
【００１９】
＜家庭用薄葉紙収納容器の構成＞
まず、本実施形態の家庭用薄葉紙収納容器の構成について説明する。
なお、以下の説明では、家庭用薄葉紙収納容器の平面視長手方向を左右方向、平面視短手方向を前後方向、高さ方向を上下方向とする。
【００２０】
本実施形態に係る家庭用薄葉紙収納容器１は、例えば、図１（ａ）に示すように、上蓋２０を閉じた状態で前後方向の側面視にて上側の角が丸みを帯びた略長方形状に形成されており、内部にウェットシートやウェットティシュー等のウェットタイプの家庭用薄葉紙Ｐを収納可能に構成されている。なお、家庭用薄葉紙収納容器１には、ティシューペーパーやキッチンペーパーやペーパータオル等のドライタイプの家庭用薄葉紙Ｐを収納しても良い。
具体的には、家庭用薄葉紙収納容器１は、例えば、図１（ａ），（ｂ）、図２から図５に示すように、上面に家庭用薄葉紙Ｐを取り出すための取出口１１を有するとともに下面に家庭用薄葉紙Ｐが積層された薄葉紙積層体Ｑを詰め替えるための底面開口１２を有し、内側の収納空間部Ｓに薄葉紙積層体Ｑを収納する容器本体１０と、容器本体１０の上面にスライド移動自在に設けられ、取出口１１を開閉させる蓋体としての上蓋２０と、上蓋２０を容器本体１０に取り付けるためのシャーシ３０と、容器本体１０の底面開口１２を塞ぐ底蓋４０と、上蓋２０を開放状態となる方向に付勢する付勢部材５０と、等を備えて構成される。
【００２１】
ここで、容器本体１０及びシャーシ３０が、上面に取出口１１を有し、内側に家庭用薄葉紙Ｐを収納するケース体として機能する。すなわち、ケース体は、容器本体１０と、当該容器本体１０の上面に固定されるシャーシ３０と、を備えており、上蓋２０は、ケース体のうちシャーシ３０に取り付けられている。
また、容器本体１０、上蓋２０、シャーシ３０及び底蓋４０は、例えば、ＰＰ（ポリプロピレン）、ＰＥ（ポリエチレン）、ＰＥＴ（ポリエチレンテレフタレート）、ＡＢＳ（Acrylonitrile Butadiene Styrene）等の熱可塑性樹脂から形成されている。
また、本実施形態においては、付勢部材５０として、引張コイルばねを用いることとする。
【００２２】
また、薄葉紙積層体Ｑは、例えば、複数枚の家庭用薄葉紙Ｐが積層された詰替え用の薄葉紙積層体であって、ケース体（本実施形態の場合、容器本体１０）に形成された取出口１１から家庭用薄葉紙Ｐを継続して取り出せるように交互に折り重ねられた状態で積層されている。すなわち、家庭用薄葉紙Ｐを取出口１１からケース体の外側へ引き出したときに、次の家庭用薄葉紙Ｐの上端が取出口１１よりも突出する位置まで収納空間部Ｓから引き出されるようになっている。
なお、薄葉紙積層体Ｑを、包装体によって内包することとしても良い。特に、家庭用薄葉紙収納容器１に収納する家庭用薄葉紙Ｐが、本実施形態のようにウェットタイプの家庭用薄葉紙Ｐである場合には、薄葉紙積層体Ｑを防湿性の包装体によって内包することが好ましい。
【００２３】
容器本体１０は、例えば、図１（ａ），（ｂ）に示すように、当該容器本体１０の上面を構成する上面部１０ａと、当該容器本体１０の前後左右の周面を構成する周面部１０ｂと、からなり、容器本体１０の下面は平面視にて角のとれた略長方形状を呈する底面開口１２となっている。そして、この底面開口１２を塞ぐように取り付けられた底蓋４０と、容器本体１０の上面部１０ａ及び周面部１０ｂと、によって囲まれた空間が、薄葉紙積層体Ｑを収納するための収納空間部Ｓとなる。
なお、本実施形態では、下面が開口した容器本体１０を用い、薄葉紙積層体Ｑを容器本体１０の下面側から詰め替えるように構成したが、これに限ることはなく、例えば、下面は閉口して前後左右の何れかの面が開口した容器本体１０を用い、薄葉紙積層体Ｑを容器本体１０の前後左右の何れかの面側から詰め替えるように構成することも可能である。
【００２４】
容器本体１０の上面部１０ａには、例えば、図４、図５に示すように、下側に向けて陥没する凹部１３が設けられており、この凹部１３の底面部１３ａに取出口１１が形成されている。なお、本実施形態では、底面部１３ａのうち左右方向（容器本体１０の平面視長手方向）中央よりも一側（本実施形態の場合、右側）にずれた位置に取出口１１を形成したが、これに限ることはなく、例えば、底面部１３ａの左右方向略中央に取出口１１を形成することも可能である。
取出口１１は、容器本体１０の内部の収納空間部Ｓに収納された家庭用薄葉紙Ｐを取り出すための、平面視にて角のとれた略長方形状に形成された開口である。
取出口１１は、上蓋２０が開放状態（図１（ｂ）、図３、図５参照）となった場合に開放され、このとき家庭用薄葉紙Ｐは、取出口１１を通じて一枚毎に収納空間部Ｓから外部に引き出すことができるようになっている。
また、取出口１１は、上蓋２０が閉塞状態（図１（ａ）、図２、図４参照）となった場合に閉塞されるようになっている。
【００２５】
例えば、図４、図５に示すように、取出口１１の周縁には、シリコンゴム等のゴムやオレフィン系エラストマー等の熱可塑性エラストマーなどの弾性体から形成されたケース側パッキン１４が装着されている。
また、上蓋２０の下面にも、シリコンゴム等のゴムやオレフィン系エラストマー等の熱可塑性エラストマーなどの弾性体から形成された蓋側パッキン２１が取り付けられている。
蓋側パッキン２１は、上蓋２０の下面のうち上蓋２０の閉塞状態においてケース側パッキン１４に対応する位置に設けられており、ケース側パッキン１４と蓋側パッキン２１とは、上蓋２０が閉塞状態となった場合に互いに密着して（図４参照）、収納空間部Ｓ内の気密性を保持するように構成されている。すなわち、ケース側パッキン１４及び蓋側パッキン２１が、取出口１１の周縁と上蓋２０との隙間を封止する気密手段として機能する。
これにより、家庭用薄葉紙収納容器１に収納する家庭用薄葉紙Ｐが、本実施形態のようにウェットタイプの家庭用薄葉紙Ｐである場合には、家庭用薄葉紙Ｐに含浸した薬液の蒸発を防止できるようになっている。
【００２６】
また、ケース側パッキン１４には、例えば、図６に示すように、当該ケース側パッキン１４の下端部から内側に向けて（取出口１１を塞ぐ方向側に向けて）延出する複数の舌片部１４ａが設けられており、舌片部１４ａ同士の隙間から家庭用薄葉紙Ｐが引き出されるように構成されている。これにより、家庭用薄葉紙Ｐを一枚ずつ引き出しやすくなっている。
なお、本実施形態では、容器本体１０にケース側パッキン１４を設けて上蓋２０に蓋側パッキン２１を設けた、すなわち、容器本体１０と上蓋２０との双方に気密手段を設けたが、これに限ることはなく、気密手段によって取出口１１の周縁と上蓋２０との隙間を封止できるのであれば、例えば、容器本体１０だけに気密手段を設けても良いし、上蓋２０だけに気密手段を設けても良い。
【００２７】
シャーシ３０は、容器本体１０の凹部１３内に収容された状態で容器本体１０の上面部１０ａに固定されており、上蓋２０は、シャーシ３０を介して容器本体１０に取り付けられている。
シャーシ３０は、例えば、図７に示すように、凹部１３の底面部１３ａ上に載置され、取出口１１を取り囲む枠部３１と、閉塞状態の上蓋２０と略面一となるよう枠部３１に支持される上壁部３２と、を備えて構成される。
ここで、本実施形態では、上蓋２０と上壁部３２とを合わせると、平面視にて略楕円形状の板状部材を構成するようになっている。また、上蓋２０及び上壁部３２は、前後方向（短径方向）に下方へ凸となるよう湾曲した形状をなしている。
【００２８】
シャーシ３０の枠部３１（具体的には、枠部３１の連結部３１ｃ（後述））の上面には、例えば、図２、図３、図７に示すように、付勢部材５０の一端と係合する固定側係合部３３が設けられている。
また、上蓋２０の下面のうち前後方向略中央の位置には、例えば、図２、図３、図８に示すように、付勢部材５０の他端と係合する可動側係合部２２が設けられている。
ここで、例えば、図７に示すように、本実施形態において、家庭用薄葉紙収納容器１は、付勢部材５０である引張コイルばねを２本備えている。また、シャーシ３０の枠部３１は、固定側係合部３３を２つ備えている。この２つの固定側係合部３３は、上蓋２０とシャーシ３０とが組み合わされた状態で所定の直線（具体的には、左右方向（長径方向）に平行で可動側係合部２２を通る直線）に対して互いに線対称となる位置に配置され、かつ、上蓋２０の閉塞状態における可動側係合部２２との間隔が、上蓋２０の開放状態における可動側係合部２２との間隔よりも長くなるように、枠部３１に設けられている。そして、２本の付勢部材５０のうち一方の一端が、２つの固定側係合部３３のうちの一方に掛止されるとともに、２本の付勢部材５０のうち他方の一端が、２つの固定側係合部３３のうちの他方に掛止され、２本の付勢部材５０の双方の他端が、上蓋２０に設けられた可動側係合部２２に掛止されている。
【００２９】
上蓋２０が右側（すなわち、上壁部３２側）へとスライド移動して開放状態から閉塞状態に移行すると、付勢部材５０の一端に係合する固定側係合部３３と、付勢部材５０の他端に係合する可動側係合部２２と、の間隔が長くなるので、付勢部材５０は左側（すなわち、上壁部３２とは反対側）に付勢された状態になる。すなわち、付勢部材５０は、上蓋２０の閉塞状態において、当該上蓋２０を開放状態となる方向に付勢している。そして、付勢部材５０の付勢力に抗する力が解除されると、付勢部材５０の付勢力によって上蓋２０が左側（すなわち、上壁部３２とは反対側）に引っ張られて、取出口１１が開放される。
ここで、付勢部材５０は、伸縮部材により構成され、シャーシ３０の固定側係合部３３が、ケース体（本実施形態の場合、シャーシ３０）に設けられ付勢部材５０の一端と係合する固定点として機能し、上蓋２０の可動側係合部２２が、上蓋２０に設けられ付勢部材５０の他端と係合する可動点として機能する。
そして、付勢部材５０、シャーシ３０の固定側係合部３３及び上蓋２０の可動側係合部２２が、上蓋２０を開放状態となる方向にスライド移動させるスライド機構として機能する。
なお、本実施形態では、固定側係合部３３（固定点）をシャーシ３０に設けたが、これに限ることはなく、固定側係合部３３（固定点）は、容器本体１０に設けても良い。
【００３０】
また、本実施形態では、付勢部材５０、シャーシ３０の固定側係合部３３及び上蓋２０の可動側係合部２２は、上蓋２０が、開放状態である場合も、閉塞状態である場合も、開放状態から閉塞状態に移行する途中の状態である場合も、閉塞状態から開放状態に移行する途中の状態である場合も、凹部１３内に配置された状態で上蓋２０に上方から覆われているので、家庭用薄葉紙収納容器１の外部から視認することができない。
すなわち、上蓋２０は、当該上蓋２０の状態にかかわらず、外部から視認不能に付勢部材５０、シャーシ３０の固定側係合部３３及び上蓋２０の可動側係合部２２を遮蔽している。これにより、家庭用薄葉紙収納容器１の美観が向上するとともに、付勢部材５０、シャーシ３０の固定側係合部３３及び上蓋２０の可動側係合部２２が触られることを防止できるようになっている。
【００３１】
さらに、本実施形態では、凹部１３の底面部１３ａが、容器本体１０の内側（収納空間部Ｓ側）から視認不能に付勢部材５０、シャーシ３０の固定側係合部３３及び上蓋２０の可動側係合部２２を遮蔽しているので、付勢部材５０、シャーシ３０の固定側係合部３３及び上蓋２０の可動側係合部２２が、容器本体１０の内側から触られることも防止できるようになっている。
【００３２】
例えば、図４、図５に示すように、上蓋２０の右端部（すなわち、上壁部３２側の端部）には、下側に向けて突出する爪部２３が設けられている。
また、シャーシ３０には、上壁部３２の一部を操作面３４ａとしたスイッチ部３４が設けられている。スイッチ部３４は、前後方向に沿って延設された軸部３４ｂを回動軸として回動可能に構成されており、左端側（すなわち、上蓋２０側）に爪部２３が上方から進入して係合する爪受部３４ｃを有している。また、スイッチ部３４は、図示しない付勢手段によって、押圧されて回動する方向とは逆方向に付勢されている。
【００３３】
上蓋２０が開放状態である際に、付勢部材５０の付勢力に抗する力を作用させて上蓋２０を右側（すなわち、上壁部３２側）へとスライド移動させると、まず、上蓋２０の爪部２３がスイッチ部３４の爪受部３４ｃに当接する。さらに上蓋２０を右側へとスライド移動させると、爪受部３４ｃが爪部２３に押されてスイッチ部３４の付勢手段の付勢力に抗する力が作用し、爪受部３４ｃが下側へと移動するようにスイッチ部３４が回動する。そして、上蓋２０が閉塞状態になってスイッチ部３４の付勢手段の付勢力に抗する力が解除されると、スイッチ部３４の付勢手段の付勢力によって爪受部３４ｃがもとの位置に戻るよう（すなわち、操作面３４ａが上壁部３２の表面と略面一の状態となるよう）にスイッチ部３４が回動して、爪部２３と爪受部３４ｃとが係合する。これにより、上蓋２０の閉塞状態を維持できるようになっている。
【００３４】
また、爪部２３と爪受部３４ｃとが係合している際に、スイッチ部３４の操作面３４ａが押圧されてスイッチ部３４の付勢手段の付勢力に抗する力が作用すると、爪受部３４ｃが下側へと移動するようにスイッチ部３４が回動する。そして、スイッチ部３４の回動に伴い爪部２３と爪受部３４ｃとの係合が解除されると、付勢部材５０の付勢力によって上蓋２０が左側（すなわち、上壁部３２とは反対側）へとスライド移動して開放状態になる。
すなわち、爪部２３及び爪受部３４ｃが、付勢部材５０の付勢力に抗して上蓋２０が閉塞状態となるように係止するとともに、当該係止を解除可能な係止手段として機能する。
なお、本実施形態では、係止手段による係止を解除する際に押圧されるスイッチ部３４をシャーシ３０に設けたが、これに限ることはなく、スイッチ部３４は、容器本体１０に設けても良い。
【００３５】
本実施形態においては、シャーシ３０の枠部３１の一部が、上蓋２０を直線的にスライド移動するようガイドするレール部３１ａになっている。具体的には、例えば、図７に示すように、シャーシ３０の枠部３１は、左右方向に沿って延設され、前後方向に並ぶレール部３１ａ，３１ａと、レール部３１ａ，３１ａの右端部（すなわち、上蓋２０の閉塞状態となる方向側の端部）同士を連結するとともに上壁部３２を支持する支持部３１ｂと、レール部３１ａ，３１ａの左端部（すなわち、上蓋２０の開放状態となる方向側の端部）同士を連結する連結部３１ｃと、からなる。
また、例えば、図８に示すように、上蓋２０には、レール部３１ａに対してスライド移動可能に係合するスライド部２４が設けられている。スライド部２４は、例えば、上蓋２０とシャーシ３０とが組み合わされた状態で、当該スライド部２４の下面が、対応するレール部３１ａの上面に当接するように、上蓋２０の下面から垂下する垂壁部（図示省略）の下端に接続されている。
これにより、上蓋２０をスムーズかつ確実に開閉できるようになっている。
なお、本実施形態では、上蓋２０のスライド移動をガイドするためのレール部３１ａをシャーシ３０に設けたが、これに限ることはなく、レール部３１ａは、容器本体１０に設けても良い。
【００３６】
ここで、例えば、図８に示すように、スライド部２４の左端部（すなわち、上蓋２０の開放状態となる方向側の端部）には、上蓋２０が開放状態となる際の衝撃を吸収するダンパー２４ａが設けられている。
また、例えば、図６に示すように、容器本体１０の凹部１３の周縁のうち、上蓋２０の閉塞状態においてスライド部２４の左端側（ダンパー２４ａを含む）に対応する位置には、上蓋２０が閉塞状態から開放状態へと移行する際にスライド部２４が入り込む横穴部１５が形成されており、上蓋２０の開放状態において、横穴部１５内でスライド部２４のダンパー２４ａが容器本体１０に当接するように構成されている。すなわち、スライド部２４が容器本体１０に衝突することによって、付勢部材５０の付勢力による上蓋２０のスライド移動が停止するように構成されており、当該衝突の際の衝撃を、ダンパー２４ａによって吸収できるようになっている。
そして、横穴部１５は、上蓋２０が閉塞状態又は開放状態であっても上蓋２０に上方が閉塞された位置に配置されている。また、上蓋２０の下面に形成されたスライド部２４の一端部にダンパー２４ａが形成されているため、ダンパー２４ａは、上蓋２０が閉塞状態又は開放状態のいずれであっても、外部から視認不能となる位置に配置されることになる。
なお、本実施形態では、撓むことで衝撃を吸収できるようにダンパー２４ａを左方へ凸となるよう内側から外側に向けて湾曲した弓状に形成したが、これに限ることはなく、ダンパー２４ａの形状は、上蓋２０が開放状態となる際の衝撃を吸収できるのであれば、適宜任意に変更可能である。
【００３７】
例えば、図４、図５に示すように、上蓋２０には、上蓋２０を閉める際等に指を掛けるための可動側指掛部２５が設けられている。具体的には、上蓋２０には、可動側指掛部２５として、当該上蓋２０の右端部（すなわち、上蓋２０の閉塞状態となる方向側の端部）を上側に向けて起立させることによって形成された突起部が設けられている。また、上蓋２０には、可動側指掛部２５に掛けた指を載置するための指載置部２６として、当該上蓋２０の上面を下側に向けて窪ませることによって形成された凹部が設けられている。
また、ケース体（本実施形態の場合、シャーシ３０）のうち係止手段（本実施形態の場合、爪受部３４ｃ）よりも右側（すなわち、上蓋２０の閉塞状態となる方向側）には、上蓋２０を閉める際等に指を掛けるための不動側指掛部３５が設けられている。具体的には、シャーシ３０には、不動側指掛部３５として、シャーシ３０の端部（本実施形態の場合、上壁部３２の右端部）を上側に向けて起立させることにより形成された突起部が設けられている。
【００３８】
すなわち、可動側指掛部２５の左側（すなわち、不動側指掛部３５とは反対側）に指を掛けて上蓋２０を閉める際に、不動側指掛部３５の右側（すなわち、可動側指掛部２５とは反対側）に指を掛けて容器本体１０に左方向の力（上蓋２０に作用させる力とは逆方向の力）を作用させて容器本体１０が滑らないように容器本体１０を固定しておくことができるように構成されている。これにより、片手で上蓋２０を閉めることができるようになっている。
また、本実施形態の場合、不動側指掛部３５は、スイッチ部３４に離間してケース体（本実施形態の場合、シャーシ３０）に設けられている。これにより、不動側指掛部３５に掛けた指でスイッチ部３４を誤操作してしまうことを防止できるようになっている。
なお、本実施形態では、不動側指掛部３５をシャーシ３０に設けたが、これに限ることはなく、不動側指掛部３５は、容器本体１０に設けても良い。
【００３９】
例えば、図４、図５に示すように、上蓋２０の下面には、先端が左側（すなわち、上蓋２０の開放状態となる方向側）を向くよう前後方向の側面視略逆Ｌ字状に突出する突片部２７が設けられている。
また、例えば、図６に示すように、容器本体１０の凹部１３の周縁のうち、上蓋２０の閉塞状態において突片部２７の先端側（ダンパー２７ａ（後述）を含む）に対応する位置には、上蓋２０が閉塞状態から開放状態へと移行する際に突片部２７が入り込む横穴部１６が形成されており、上蓋２０が開放状態になると、上蓋２０の突片部２７の先端側が容器本体１０の横穴部１６に入り込んで、突片部２７の上下方向の移動が規制されるように構成されている。これにより、上蓋２０の開放状態において、上蓋２０の左端側が上方向へと移動して上蓋２０が起き上がってしまうことを防止できるようになっている。
【００４０】
ここで、例えば、図４、図５に示すように、突片部２７の先端部には、上蓋２０が開放状態となる際の衝撃を吸収するダンパー２７ａが設けられている。ダンパー２７ａは、上蓋２０の下面に設けられているため、上蓋２０が閉塞状態又は開放状態のいずれであっても、外部から視認不能となる位置に配置されている。そして、ダンパー２７ａは、上蓋２０の開放状態において、横穴部１６内で突片部２７のダンパー２７ａが容器本体１０に当接するように構成されている。すなわち、突片部２７が容器本体１０に衝突することによっても、付勢部材５０の付勢力による上蓋２０のスライド移動が停止するように構成されており、当該衝突の際の衝撃を、ダンパー２７ａによって吸収できるようになっている。
【００４１】
なお、本実施形態では、撓むことで衝撃を吸収できるようにダンパー２７ａを左方へ凸となるよう上側から下側に向けて湾曲した弓状に形成したが、これに限ることはなく、ダンパー２７ａの形状は、上蓋２０が開放状態となる際の衝撃を吸収できるのであれば、適宜任意に変更可能である。
また、本実施形態では、突片部２７にダンパー２７ａを設けてスライド部２４にダンパー２４ａを設けた、すなわち、突片部２７とスライド部２４との双方にダンパーを設けたが、これに限ることはなく、ダンパーによって上蓋２０が開放状態となる際の衝撃を吸収すること（衝撃を緩めること）ができるのであれば、例えば、突片部２７だけにダンパーを設けても良いし、スライド部２４だけにダンパーを設けても良いし、突片部２７及びスライド部２４以外の部分にダンパーを設けても良い。
【００４２】
突片部２７及びスライド部２４以外としては、例えば気密手段としてのケース側パッキン１４及び蓋側パッキン２１等にダンパーを形成することが挙げられる。この場合ケース側パッキン１４及び蓋側パッキン２１の一方にダンパーを形成してもよいし、両者にダンパーを形成してもよい。このように、気密手段にダンパーを形成することで、閉塞状態時には上蓋２０と取出口１１の気密性を確保しつつ、上蓋２０が開放状態となる際の衝撃を抑制することができる。
具体的には、図９（ａ）に示すように、ケース体（容器本体１０及び／又はシャーシ３０）における、開放状態の上蓋２０の蓋側パッキン２１に当接する位置に突出部２０１を設けておけば、上蓋２０が開放状態となる際に蓋側パッキン２１が突出部２０１に接触する。つまり、蓋側パッキン２１自体がダンパーとして機能することになる。
また、図９（ｂ）に示すように、突出部２０１に向かって凸となる補助突部２１１を蓋側パッキン２１に設けることで、より衝撃吸収性を高めることができる。この補助突部２１１は、蓋側パッキン２１と同様に弾性体であることが好ましい。
さらに、図９（ｃ）に示すように、蓋側パッキン２１に接触する弾性部２０２を突出部２０１に設けても、より衝撃吸収性を高めることが可能である。
【００４３】
ダンパーとして蓋側パッキン２１に形成される補助突部２１１の形状や構成は適宜任意に変更可能であり、例えば図１０（ａ），（ｂ）や図１１（ａ）、（ｂ）に示すように、補助突部２１１は、孔を有し、当該孔の開口面積が縮小するように弾性変形可能であってもよい。これにより、上蓋２０が開放状態となる際の衝撃を効率よく抑制することが可能となる。なお、図１０（ａ），（ｂ）や図１１（ａ）、（ｂ）では補助突部２１１に上下方向に貫通する孔を設けたが、補助突部２１１が有する孔は、例えば、前後方向に貫通する孔であってもよい。
また、ダンパーとして蓋側パッキン２１に形成される補助突部２１１の個数は適宜任意に変更可能であり、例えば図１０（ａ），（ｂ）に示すように２個であってもよいし、３個以上であってもよい。
【００４４】
突出部２０１の位置や個数は、例えば図１０（ａ）に示すように、補助突部２１１の位置や個数に応じて適宜任意に変更可能である。
また、突出部２０１の形状は任意であり、例えば図１１（ａ），（ｂ）に示すように、突出部２０１に、上蓋２０の開放状態（図１１（ｂ）参照）において蓋側パッキン２１が乗り上げる傾斜面を形成すると、上蓋２０が開放状態となる際の衝撃を効果的に緩めることができる。なお、図１１（ａ），（ｂ）では突出部２０１をシャーシ３０に設けたが、突出部２０１は、ケース体に設けられていればよく、例えば、容器本体１０に設けられていてもよい。
【００４５】
また、蓋側パッキン２１には、図１０（ｂ）に示す蓋側パッキン２１のように、当該蓋側パッキン２１の開口を横断する橋渡部２１２が形成されていてもよい。橋渡部２１２を形成することで、蓋側パッキン２１全体の強度を増加させることができるとともに、蓋側パッキン２１の歪みを防止することができる。また、橋渡部２１２に、蓋側パッキン２１の取り付け方向を示す矢印や、金型番号を表示することができる。
また、橋渡部２１２は、成型時に樹脂を流す口（ゲート）としても利用できる。ゲート部分は突起や凹みができるため、パッキン嵌合部分や容器への嵌めこみ部分に設けることができないが、橋渡部２１２をゲートとして利用することで、蓋側パッキン２１自体の機能を損なわず、成型不良がおきないよう均一に樹脂を流すことができる。
【００４６】
また、ダンパーは、上蓋２０側ではなく、ケース体（容器本体１０やシャーシ３０）側に設けても良いし、上蓋２０側とケース体側との双方に設けても良い。突片部２７にダンパーを設けない場合は、上蓋２０の開放状態において、突片部２７が横穴部１６内で容器本体１０に当接しないように構成することが好ましい。また、スライド部２４にダンパーを設けない場合は、上蓋２０の開放状態において、スライド部２４が横穴部１５内で容器本体１０に当接しないように構成することが好ましい。
【００４７】
また、突片部２７は、上蓋２０が起き上がってしまうことを防止するために設けられているが、本実施形態のように、スライド部２４の左端側が入り込む横穴部１５の上方が上面部１０ａによって塞がれている場合には、スライド部２４によって、上蓋２０が起き上がってしまうことを防止することができる。具体的には、この場合には、上蓋２０が開放状態になると、上蓋２０のスライド部２４の左端側が容器本体１０の横穴部１５に入り込んで、スライド部２４の上下方向の移動が規制され、上蓋２０が起き上がってしまうことを防止することができるので、突片部２７を設けなくてもよい。
【００４８】
以上説明した本実施形態の家庭用薄葉紙収納容器１によれば、上蓋２０が開放状態となる際の衝撃を吸収するダンパー２４ａ，２７ａを備えている。
すなわち、上蓋２０は付勢部材５０の付勢力によって自動的に開くが、その際の衝撃がダンパー２４ａ，２７ａによって吸収されるので、上蓋２０が開放状態となる際の衝撃に伴う上蓋２０やケース体（本実施形態の場合、主に容器本体１０）の磨耗を抑制したり、上蓋２０が開放状態となる際に生じる衝突音を軽減したりすることができる。
そして、ダンパー２４ａ，２７ａが、上蓋２０の状態に関わらず、外部から視認不能となる位置に配置されているので、スライド式の上蓋２０であっても容器全体の見栄えを損なうことなく、上蓋２０が開放状態となる際の衝撃を抑制することができる。
【００４９】
また、以上説明した本実施形態の家庭用薄葉紙収納容器１によれば、取出口１１の周縁と蓋体（上蓋２０）との隙間を封止する気密手段を備え、ダンパーは、気密手段に形成されていてもよい。
この場合、取出口１１の周縁と上蓋２０との隙間を封止する気密手段にダンパーが形成されているので、閉塞状態時には上蓋２０と取出口１１の気密性を確保しつつ、上蓋２０が開放状態となる際の衝撃を抑制することができる。
【００５０】
また、以上説明した本実施形態の家庭用薄葉紙収納容器１によれば、気密手段は、蓋体（上蓋２０）に取り付けられる蓋側パッキン２１を含み、ダンパーは、蓋側パッキン２１のうち開放状態となる方向側の端部（本実施形態の場合、左端部）に形成された突起（補助突部２１１）であり、突起（補助突部２１１）は、孔を有し、当該孔の開口面積が縮小するように弾性変形可能であってもよい。
この場合、ダンパーは、上蓋２０に取り付けられる蓋側パッキン２１のうち開放状態となる方向側の端部に形成された補助突部２１１であり、この補助突部２１１は、孔を有し、当該孔の開口面積が縮小するように弾性変形可能であるので、上蓋２０が開放状態となる際の衝撃を効率よく抑制することができる。
【００５１】
なお、本発明は上記実施形態に限らず適宜変更可能である。
例えば、上記実施形態では、上蓋２０がスライド式である場合を例示して説明したが、回動式の上蓋であっても構わない。
例えば、図１２に示す家庭用薄葉紙収納容器１００は、上面に取出口を有する容器本体１１０と、容器本体１１０に対して上下方向に回動することで取出口を開閉させる上蓋１２０と、上蓋１２０の上方への回動の規制及び当該規制の解除を行うスイッチ部１３０とを備えている。
図１３に示すように、容器本体１１０における閉塞状態の上蓋１２０の基端部に対向する位置には、上方に向けて突出したダンパー１１１が設けられている。ダンパー１１１は、容器本体１１０から垂直に立設した基部１１２と、基部１１２の上端から下方に向けて凸となるように湾曲した湾曲部１１３と、湾曲部１１３の先端から後方に向けて水平に延出した水平部１１４とを備えている。このダンパー１１１は、上蓋１２０の閉塞状態においては、当該上蓋１２０によって覆われ、外部から視認不能となる。
【００５２】
また、上蓋１２０の基端部側には、当該上蓋１２０を回動自在に支持する回動機構としての回動軸１２１が設けられている。
図１４に示すように、この回動軸１２１は、剛体からなる複数の軸体１２２と、各軸体１２２に挟まれた弾性体からなる付勢部材１２３とが同軸上に配置されて構成されている。中央の軸体１２２ａは容器本体１１０に固定されていて、両側方の軸体１２２ｂは上蓋１２０に固定されている。ここで、上蓋１２０が閉塞状態である場合には、当該上蓋１２０を開放する方向へ付勢するように付勢部材１２３が捻られている。そして、スイッチ部１３０によって上蓋１２０の上方への回動の規制が解除されると、付勢部材１２３の弾性復帰によって上蓋１２０が自動で上方へ向けて回動し、図１５に示すように開放状態となる。このように、上蓋１２０が開放状態となる際に当該上蓋１２０の基端部がダンパー１１１の湾曲部１１３に当接するため、湾曲部１１３が衝撃を吸収することになる。そして、ダンパー１１１全体は、可撓性或いは弾性を有しているので、上蓋１２０の基端部が湾曲部１１３に当接した後に、さらに上蓋１２０を回動させるとダンパー１１１が変形して、上蓋１２０の基端部が湾曲部１１３を乗り越え、図１６に示すように、水平部１１４まで達することになる。このとき、上蓋１２０の上面と、水平面とがなす角度θが９０度以上となり、薄葉紙積層体Ｑを容器本体１１０から取り出す際に、上蓋１２０がじゃまとなることを防止することが可能となる。
【００５３】
以上のように、本変形例によれば、回動式の上蓋１２０であっても容器全体の見栄えを損なうことなく、上蓋１２０が開放状態となる際の衝撃を抑制することができる。
また、上蓋１２０に対して付勢部材１２３の付勢力を作用させることで当該上蓋１２０を開放状態となる方向に回動させる回動機構が、弾性体からなる付勢部材１２３を上蓋１２０の回動軸１２１に適用した構成であるので、簡素な構成で上蓋１２０を自動で開放状態とすることができる。
【００５４】
なお、ダンパー１１１に使用する素材は、容器本体１１０と同じ素材であっても、容器本体１１０とは弾性が大きい素材であってもよい。どのような素材でも湾曲部１１３の厚みを調整することで上蓋１２０の衝撃を吸収することが可能である。また、ダンパー１１１を複数個設置してもよい。
【符号の説明】
【００５５】
１  家庭用薄葉紙収納容器
１０  容器本体（ケース体）
１１  取出口
１３  凹部
１４  ケース側パッキン（気密手段）
２０，２２０  上蓋（蓋体）
２１  蓋側パッキン（気密手段）
２２  可動側係合部（スライド機構）
２３  爪部
２４  スライド部
２４ａ  ダンパー
２５  可動側指掛部
２７ａ  ダンパー
３０，２３０  シャーシ（ケース体）
３１ａ  レール部
３３  固定側係合部（スライド機構）
３４  スイッチ部
３４ｃ  爪受部（係止手段）
３５，３３５，４３５，５３５  不動側指掛部
３７  突出部
５０，１５０，２５０  付勢部材（スライド機構）
２１１  補助突部（ダンパー、突起）
２３７  固定部（スライド機構）
２３８ａ  可動部（スライド機構）
Ｐ  家庭用薄葉紙
Ｑ  薄葉紙積層体（家庭用薄葉紙積層体）
【図１】
2013227074.tif 000003
【図２】
2013227074.tif 000004
【図３】
2013227074.tif 000005
【図４】
2013227074.tif 000006
【図５】
2013227074.tif 000007
【図６】
2013227074.tif 000008
【図７】
2013227074.tif 000009
【図８】
2013227074.tif 000010
【図９】
2013227074.tif 000011
【図１０】
2013227074.tif 000012
【図１１】
2013227074.tif 000013
【図１２】
2013227074.tif 000014
【図１３】
2013227074.tif 000015
【図１４】
2013227074.tif 000016
【図１５】
2013227074.tif 000017
【図１６】
2013227074.tif 000018